(57)【要約】  【課題】  光ディスクに記録された音楽情報の曲名などの文字を容易に短時間で入力することができる情報記録再生装置および文字入力方法を提供する。  【解決手段】  システムコントローラ２においては、例えば、光ディスクＤ２に記録された曲数と一時メモリ５に格納された光ディスクＤ１の曲数とを比較して、両者が同じ場合には、曲名を示すネーム情報の光ディスクＤ２への書き込みを行うが、異なる場合は書き込みを禁止し、また、光ディスクＤ１に記録された曲の演奏時間と光ディスクＤ２に記録された曲の演奏時間とが一致または略一致であると判定された場合には、音楽情報に対応するネーム情報については、前記禁止の動作を解除するので、光ディスクＤ２には、該当のネーム情報が書き込み可能になる。【選択図】      図１
2005228389.tif 000002
【特許請求の範囲】
【請求項１】
記録媒体に情報を記録したり、記録媒体に記録された情報を再生したりする情報記録再生装置において、装填されている若しくは装填されていた第１の記録媒体のメイン情報の個数を一時的に第１のメモリに格納し、前記第１の記録媒体のテキスト情報を第２のメモリに記憶し、前記第２のメモリに記憶されたテキスト情報を、装填されている第２の記録媒体のメイン情報に対応させて前記第２の記録媒体に書き込み、前記第２の記録媒体のメイン情報の個数と前記第１のメモリに格納された前記第１の記録媒体のメイン情報の個数とを比較して、前記両者のメイン情報の個数が異なる場合には、前記テキスト情報の書き込みを禁止し、また、前記第１の記録媒体に記録されたメイン情報の識別情報と前記第２の記録媒体に記録されたメイン情報の識別情報とが一致または略一致であると判定された場合に、メイン情報に対応するテキスト情報については、前記禁止の動作を解除するシステムコントローラを備えたことを特徴とする情報記録再生装置。
【請求項２】
記録媒体に情報を記録したり、記録媒体に記録された情報を再生したりする情報記録再生装置において、前記記録媒体は、複数のメイン情報と該メイン情報に対応する識別情報とを記録すると共に、前記メイン情報に対応するテキスト情報も記録可能である記録媒体であり、装填されている若しくは装填されていた第１の記録媒体のメイン情報の個数を一時的に第１のメモリに格納するメイン情報数格納処理手段と、前記第１の記録媒体のテキスト情報を第２のメモリに記憶するテキスト情報記憶処理手段と、前記テキスト情報記憶処理手段により前記第２のメモリに記憶されたテキスト情報を装填されている第２の記録媒体のメイン情報に対応させて前記第２の記録媒体に書き込むテキスト情報書込み手段と、前記第２の記録媒体のメイン情報の個数と前記第１のメモリに格納された前記第１の記録媒体のメイン情報の個数とを比較する比較手段と、前記比較の結果において前記両者のメイン情報の個数が異なる場合に前記テキスト情報書込み手段の動作を禁止する禁止手段と、前記第１の記録媒体に記録されたメイン情報の識別情報と前記第２の記録媒体に記録されたメイン情報の識別情報とが一致または略一致であるか否かを判定する判定手段と、該判定手段により前記第１の記録媒体に記録されたメイン情報の識別情報と前記第２の記録媒体に記録されたメイン情報の識別情報とが一致または略一致であると判定された場合に、メイン情報に対応するテキスト情報については、前記禁止手段が禁止動作をしていた場合には、その禁止動作を解除する禁止解除手段とを備えたことを特徴とする情報記録再生装置。
【請求項３】
前記メイン情報とは音楽情報であり、前記識別情報とは前記音楽情報の曲を演奏したときの演奏時間を示す演奏時間情報であり、前記テキスト情報とは前記音楽情報の音楽の曲名を示すネーム情報であることを特徴とする請求項１または請求項２に記載の情報記録再生装置。
【請求項４】
該判定手段により、前記第１の記録媒体に記録されたメイン情報の識別情報と前記第２の記録媒体に記録されたメイン情報の識別情報とが一致または略一致であると判定された場合には、前記識別情報と対で前記第２のメモリに記憶されているテキスト情報を候補として表示手段に一覧表示させることを特徴とする請求項２に記載の情報記録再生装置。
【請求項５】
前記第２のメモリとして不揮発性メモリを用いることを特徴とする請求項１または請求項２に記載の情報記録再生装置。
【請求項６】
記録媒体に情報を記録したり、記録媒体に記録された情報を再生したりする情報記録再生装置において、記録媒体に記録されている音楽情報の音楽の曲名を不揮発性メモリに記憶させる際に、前記音楽の曲の演奏時間も同時に記憶させ、記録媒体交換後に、新たに装填された記録媒体内の全ての曲の演奏時間を検索し、この検索した演奏時間が前記不揮発性メモリに記憶されている演奏時間と等しい若しくは予め規定された誤差範囲内にある曲が存在した場合は、演奏時間と対で前記不揮発性メモリに記憶されている曲名を，コピー対象の候補として一覧表示させ、同じ曲に対しては、当該曲名を前記新たに装填された記録媒体にコピーすることにより登録することを特徴とする文字入力方法。
【発明の詳細な説明】
【技術分野】
【０００１】
本発明は、記録媒体としての光ディスクに情報を記録したり、光ディスクに記録された情報を再生したりする情報記録再生装置に関し、特に、光ディスク内の曲名などの文字を入力する機能を有する情報記録再生装置およびその文字入力方法に関する。
【背景技術】
【０００２】
例えば、 ポータブルＭＤ（Mini Disc）レコーダなどのような情報記録再生装置（光ディスク記録再生装置）において、曲名やディスク名などの情報を文字データとして入力する場合、通常は、一字一字、文字を選択して確定する必要がある。この場合、文字列の入力に手間がかかり、同じ文字列を入力するときでも毎回一字ずつ入力しなければならない。
【０００３】
また、図１０に示すフローチャートのように、現在装填されている光ディスクの全ての曲のネーム情報を別の光ディスクに一括コピーする手法もある。詳しくは、この手法では、ネーム情報一括コピーの処理がスタートすると、一括コピーするか否かを判定し（ステップＮ１）、一括コピーする場合は、情報記録再生装置に装填されている光ディスク内の曲数及び全てのネーム情報を一旦、一時メモリ（ＲＡＭ）に退避させ（ステップＮ２）、その後、光ディスクを情報記録再生装置から排出させる（ステップＮ３）。
【０００４】
そして、新たな光ディスクを情報記録再生装置に挿入して（ステップＮ４）、この時に光ディスク内のＵＴＯＣ（User Table Of Contents）を読み出し、曲数を取得し（ステップＮ５）、この新たな光ディスク挿入時に前記一時メモリ（ＲＡＭ）に退避させていた曲数と今回挿入された光ディスク内の曲数とを比較する（ステップＮ６）。この比較の結果、両曲数が一致していれば、前記一時メモリ（ＲＡＭ）に退避させていたネーム情報を一括コピーし（ステップＮ７）、このネーム情報一括コピーの処理を終える。
【０００５】
なお、ステップＮ１において一括コピーしないと判定された場合や、ステップＮ６において曲数が一致しないと判定された場合は、このネーム情報一括コピーの処理は行われない。
【特許文献１】特開２０００−２５９３２７号公報
【発明の開示】
【発明が解決しようとする課題】
【０００６】
このようなネーム情報一括コピーの処理の用途は、ダビングした光ディスクへのネーム情報コピーに限定され、一部のネーム情報（例えば、ある特定の曲のネーム情報）をコピーすることはできない。また、一時メモリ（ＲＡＭ）にネーム情報が記憶されるため、コピー対象のネーム情報が前回に情報記録再生装置に装填された光ディスクのネーム情報に限定される。
【０００７】
また、特許文献１の従来技術に示されるように、一字一字入力した文字列もしくは既に記録媒体に入力されている文字列を不揮発性メモリに記憶しておき、文字入力操作時に、記憶された文字列の中から任意の文字列を選択し、記録できるようにしたものがある。この場合、文字列の入力もしくは同じ文字列を入力する手間が省けるが、例えば、図９に示すように不揮発性メモリに記憶された多数の文字列の中から、ユーザが所望の文字列を検索する必要があるため、所望の文字列を得るまでに時間を多く要してしまうことになる。
【０００８】
前述したように、従来の情報記録再生装置では、光ディスク内の曲名などの文字を入力する際、毎回、光ディスク内の全文字を一文字ずつ入力しなければならないという課題、不揮発性メモリに記憶された文字列の中から所望の文字列を選択するのに時間を多く要するという課題、一部のネーム情報をコピーしたい、あるいは過去に入力したネーム情報をコピーしたいという要望には応えられないという課題が生じる。
【０００９】
本発明は、上記のような課題を解決するためになされたもので、記録媒体に記録されたメイン情報に対応するテキスト情報などの文字を容易に短時間で入力することができる、例えば、光ディスクに記録された音楽情報の曲名などの文字を容易に短時間で入力することができる情報記録再生装置および文字入力方法を提供すること目的とする。
【課題を解決するための手段】
【００１０】
上記目的を達成するため、本発明は、記録媒体に情報を記録したり、記録媒体に記録された情報を再生したりする情報記録再生装置において、装填されている若しくは装填されていた第１の記録媒体のメイン情報の個数を一時的に第１のメモリに格納し、前記第１の記録媒体のテキスト情報を第２のメモリに記憶し、前記第２のメモリに記憶されたテキスト情報を、装填されている第２の記録媒体のメイン情報に対応させて前記第２の記録媒体に書き込み、前記第２の記録媒体のメイン情報の個数と前記第１のメモリに格納された前記第１の記録媒体のメイン情報の個数とを比較して、前記両者のメイン情報の個数が異なる場合には、前記テキスト情報の書込みを禁止し、また、第１の録媒体に記録されたメイン情報の識別情報と前記第２の記録媒体に記録されたメイン情報の識別情報とが一致または略一致であると判定された場合に、メイン情報に対応するテキスト情報については、前記禁止の動作を解除するシステムコントローラを備えたことを特徴とする情報記録再生装置を提供する。
【００１１】
この構成においては、前記第２の記録媒体のメイン情報の個数と前記第１のメモリに格納された前記第１の記録媒体のメイン情報の個数とを比較して、前記両者のメイン情報の個数が同じ場合は、前記テキスト情報の前記第２の記録媒体への書き込みを行い、前記両者のメイン情報の個数が異なる場合には、前記テキスト情報の前記第２の記録媒体への書き込みを禁止し、また、前記第１の記録媒体に記録されたメイン情報の識別情報と前記第２の記録媒体に記録されたメイン情報の識別情報とが一致または略一致であると判定された場合には、メイン情報に対応するテキスト情報については、前記禁止の動作を解除するので、前記第２の記録媒体にテキスト情報が書き込み可能になる。
【００１２】
したがって、この構成によれば、メイン情報毎にテキスト情報の単位を形成する最初の文字から逐一入力していくという面倒な操作を回避することができ、また、識別情報が誤差範囲内であるテキスト情報をコピー対象の候補として表示させることが可能になることにより、ユーザが所望する文字列を容易に短時間で取得することができる。この結果、記録媒体に記録されたメイン情報に対応するテキスト情報などの文字を容易に短時間で入力することができる。
【００１３】
また、本発明は、記録媒体に情報を記録したり、記録媒体に記録された情報を再生したりする情報記録再生装置において、前記記録媒体は、複数のメイン情報と該メイン情報に対応する識別情報とを記録すると共に、前記メイン情報に対応するテキスト情報も記録可能である記録媒体であり、装填されている若しくは装填されていた第１の記録媒体のメイン情報の個数を一時的に第１のメモリに格納するメイン情報数格納処理手段と、前記第１の記録媒体のテキスト情報を第２のメモリに記憶するテキスト情報記憶処理手段と、前記テキスト情報記憶処理手段により前記第２のメモリに記憶されたテキスト情報を装填されている第２の記録媒体のメイン情報に対応させて前記第２の記録媒体に書き込むテキスト情報書込み手段と、前記第２の記録媒体のメイン情報の個数と前記第１のメモリに格納された前記第１の記録媒体のメイン情報の個数とを比較する比較手段と、前記比較の結果において前記両者のメイン情報の個数が異なる場合に前記テキスト情報書込み手段の動作を禁止する禁止手段と、前記第１の記録媒体に記録されたメイン情報の識別情報と前記第２の記録媒体に記録されたメイン情報の識別情報とが一致または略一致であるか否かを判定する判定手段と、該判定手段により前記第１の記録媒体に記録されたメイン情報の識別情報と前記第２の記録媒体に記録されたメイン情報の識別情報とが一致または略一致であると判定された場合に、メイン情報に対応するテキスト情報については、前記禁止手段が禁止動作をしていた場合には、その禁止動作を解除する禁止解除手段とを備えたことを特徴とする情報記録再生装置を提供する。
【００１４】
この構成においては、前記第２の記録媒体のメイン情報の個数（前記第２の記録媒体に記録された例えば音楽情報の音楽の曲数）と前記第１のメモリに格納された前記第１の記録媒体のメイン情報の個数（前記第１の記録媒体に記録された例えば音楽情報の音楽の曲数）とを比較して、前記両者のメイン情報の個数（例えば曲数）が同じ場合は、前記テキスト情報（例えば曲名を示すネーム情報）の前記第２の記録媒体への書き込みを行い、前記両者のメイン情報の個数（例えば曲数）が異なる場合には、前記テキスト情報（例えば曲名を示すネーム情報）の書込みを禁止し、また、前記第１の記録媒体に記録されたメイン情報の識別情報（例えば曲の演奏時間）と前記第２の記録媒体に記録されたメイン情報の識別情報（例えば曲の演奏時間）とが一致または略一致であると判定された場合には、メイン情報（例えば音楽情報）に対応するテキスト情報（例えば曲名を示すネーム情報）については、前記禁止の動作を解除するので、前記第２の記録媒体にテキスト情報（例えば曲名を示すネーム情報）が書き込み可能になる。
【００１５】
したがって、この構成によれば、メイン情報（例えば音楽情報）毎にテキスト情報（例えば曲名を示すネーム情報）の単位を形成する最初の文字から逐一入力していくという面倒な操作を回避することができ、また、識別情報（例えば曲の演奏時間）が誤差範囲内であるテキスト情報（例えば曲名を示すネーム情報）をコピー対象の候補として表示させることが可能になることにより、ユーザが所望する文字列を容易に短時間で取得することができる。この結果、記録媒体に記録されたメイン情報に対応するテキスト情報などの文字を容易に短時間で入力することができる。例えば、記録媒体としての光ディスクに記録された音楽情報の曲名などの文字を容易に短時間で入力することができる。
【００１６】
また、前記第２のメモリとして不揮発性メモリを用いた場合は、不揮発性メモリに記憶されたテキスト情報（例えば曲名を示すネーム情報）と識別情報（例えば演奏時間情報）は、装置の電源がオフしても保持されるので、以後において、テキスト情報（例えば曲名を示すネーム情報）を記録媒体にコピーする際に用いることが可能になり、文字入力を容易に短時間で行うことに役立てることができる。
【００１７】
また、本発明は、記録媒体に情報を記録したり、記録媒体に記録された情報を再生したりする情報記録再生装置において、記録媒体に記録されている音楽情報の音楽の曲名を不揮発性メモリに記憶させる際に、前記音楽の曲の演奏時間も同時に記憶させ、記録媒体交換後に、新たに装填された記録媒体内の全ての曲の演奏時間を検索し、この検索した演奏時間が前記不揮発性メモリに記憶されている演奏時間と等しい若しくは予め規定された誤差範囲内にある曲が存在した場合は、演奏時間と対で前記不揮発性メモリに記憶されている曲名を登録の候補として一覧表示させ、同じ曲に対しては、当該曲名を前記新たに装填された記録媒体にコピーすることを特徴とする文字入力方法を提供する。
【００１８】
この方法によれば、音楽情報毎に曲名を示すネーム情報の単位を形成する最初の文字から逐一入力していくという面倒な操作を回避することができ、また、曲の演奏時間が誤差範囲内である曲名を示すネーム情報をコピー対象の候補として表示させることが可能になることにより、ユーザが所望する文字列を容易に短時間で取得することができる。この結果、例えば、記録媒体としての光ディスクに記録された音楽情報の曲名などの文字を容易に短時間で入力することができる。
【発明の効果】
【００１９】
以上のように本発明の情報記録再生装置によれば、第２の記録媒体のメイン情報の個数（第２の記録媒体に記録された例えば音楽情報の音楽の曲数）と第１のメモリに格納された第１の記録媒体のメイン情報の個数（第１の記録媒体に記録された例えば音楽情報の音楽の曲数）とを比較して、両者のメイン情報の個数（例えば曲数）が同じ場合は、前記テキスト情報（例えば曲名を示すネーム情報）の前記第２の記録媒体への書き込みを行い、両者のメイン情報の個数（例えば曲数）が異なる場合には、テキスト情報（例えば曲名を示すネーム情報）の書込みを禁止し、また、第１の記録媒体に記録されたメイン情報の識別情報（例えば曲の演奏時間）と第２の記録媒体に記録されたメイン情報の識別情報（例えば曲の演奏時間）とが一致または略一致であると判定された場合には、メイン情報（例えば音楽情報）に対応するテキスト情報（例えば曲名を示すネーム情報）については、禁止の動作を解除するので、第２の記録媒体にテキスト情報（例えば曲名を示すネーム情報）が書き込み可能になる。
【００２０】
したがって、メイン情報（例えば音楽情報）毎にテキスト情報（例えば曲名を示すネーム情報）の単位を形成する最初の文字から逐一入力していくという面倒な操作を回避することができ、また、識別情報（例えば曲の演奏時間）が誤差範囲内であるテキスト情報（例えば曲名を示すネーム情報）をコピー対象の候補として表示させることが可能になることにより、ユーザが所望する文字列を容易に短時間で取得することができる。この結果、記録媒体に記録されたメイン情報に対応するテキスト情報などの文字を容易に短時間で入力することができる。例えば、記録媒体としての光ディスクに記録された音楽情報の曲名などの文字を容易に短時間で入力することができ、ユーザにとっては使い勝ってが向上する。
【００２１】
また、本発明の文字入力方法によれば、記録媒体に記録されている音楽情報の音楽の曲名を不揮発性メモリに記憶させる際に、前記音楽の曲の演奏時間も同時に記憶させ、記録媒体交換後に、新たに装填された記録媒体内の全ての曲の演奏時間を検索し、この検索した演奏時間が前記不揮発性メモリに記憶されている演奏時間と等しい若しくは予め規定された誤差範囲内にある曲が存在した場合は、演奏時間と対で前記不揮発性メモリに記憶されている曲名を登録の候補として一覧表示させ、同じ曲に対しては、当該曲名を前記新たに装填された記録媒体にコピーするようにした。
【００２２】
したがって、音楽情報毎に曲名を示すネーム情報の単位を形成する最初の文字から逐一入力していくという面倒な操作を回避することができ、また、曲の演奏時間が誤差範囲内である曲名を示すネーム情報をコピー対象の候補として表示させることが可能になることにより、ユーザが所望する文字列を容易に短時間で取得することができる。この結果、例えば、記録媒体としての光ディスクに記録された音楽情報の曲名などの文字を容易に短時間で入力することができ、ユーザにとっては使い勝ってが向上する。
【発明を実施するための最良の形態】
【００２３】
図１は本発明の一実施形態に係る情報記録再生装置（光ディスク記録再生装置）の構成を示すブロック図である。
【００２４】
この情報記録再生装置は、文字列を入力したり、再生操作や記録操作を行ったりするための複数の操作キー（図示せず）を有する入力装置１と、この入力装置１から入力された操作信号に従って所定の演算や制御などを行い、装置全体を制御するマイクロコンピュータ等で実現されるシステムコントローラ２と、入力装置１から入力された文字情報や操作情報などを表示する表示装置３と、システムコントローラ２の処理に必要なプログラムやデータなどを記憶するＲＯＭ等で実現される不揮発性メモリ（第２のメモリ）４と、システムコントローラ２の処理に必要なデータを一時的に格納するＲＡＭ等で実現される一時メモリ（第１のメモリ）５と、記録媒体としての光ディスクに情報を光学的に記録する記録部６と、光ディスクに記録された情報を光学的に再生する再生部７とを備えている。
【００２５】
システムコントローラ２は、装填されている若しくは装填されていた光ディスクＤ１（第１の記録媒体）に記録された音楽情報（メイン情報）の個数を一時的にＲＡＭ等で実現される一時メモリ５に格納する曲数格納手段（メイン情報数格納処理手段）２１と、前記光ディスクＤ１に記録された音楽情報の音楽の曲名を示すネーム情報（テキスト情報）をＲＯＭ等で実現される不揮発性メモリ４に記憶するネーム情報記憶処理手段２２（テキスト情報記憶処理手段）と、前記ネーム情報記憶処理手段２２により不揮発性メモリ４に記憶されたネーム情報（テキスト情報）を装填されている光ディスクＤ２（第２の記録媒体）の音楽情報（メイン情報）に対応させて不揮発性メモリ４に書き込むネーム情報書込み手段（テキスト情報書込み手段）２３とを有する。なお、テキスト情報としては、曲名を示すネーム情報以外に光ディスクのディスク名（例えばタイトル名）なども扱うこともできる。
【００２６】
また、システムコントローラ２は、光ディスクＤ２の音楽情報の個数と曲数格納処理手段２１により格納された一時メモリ５の音楽情報の個数とを比較する比較手段２４と、前記比較の結果において前記両者のメイン情報の個数が異なる場合に前記ネーム情報書込み手段２３の動作を禁止する禁止手段２５と、光ディスクＤ１に記録された音楽情報の演奏時間情報（識別情報）と前記第２の記録媒体に記録された音楽情報の演奏時間情報とが一致または略一致であるか否かを判定する判定手段２６と、該判定手段２６により光ディスクＤ１に記録された音楽情報の演奏情報と光ディスクＤ２に記録された音楽情報の演奏時間情報とが一致または略一致であると判定された場合に、音楽情報に対応する曲名を示すネーム情報については、禁止手段２５が禁止動作をしていた場合には、その禁止動作を解除する禁止解除手段２７とを有する。なお、光ディスクＤ１，Ｄ２は、複数の音楽情報と該音楽情報に対応する演奏時間情報とを記録すると共に、音楽情報に対応する曲名を示すネーム情報も記録可能である。
【００２７】
図２は本実施形態におけるトラックネーム入力／登録の処理を説明するためのフローチャートである。このフローチャートを参照して情報記録再生装置においてトラックネーム入力／登録の処理を説明する。
【００２８】
このトラックネーム入力／登録処理がスタートすると、先ず、光ディスクＤ１内にある任意の曲を選択している状態から入力装置１のユーザ操作によりネーム入力／登録機能を指示すると、ネーム入力／登録状態に遷移する。次に、選択中の曲のトラックネーム情報（曲名を示すネーム情報）をＵＴＯＣ（User Table Of Contents）より取得し、トラックネームの有無を判定する（ステップＳ１）。なお、ＵＴＯＣ情報は予め装置の電源オン時に光ディスクＤ１から取得しておく。
【００２９】
トラックネームの有無判定の結果、既にトラックネーム情報が光ディスクＤ１に記録されていた場合、記録されているネーム情報を不揮発性メモリ４に登録するかどうかをユーザに確認させる（ステップＳ９）。ネーム情報を不揮発性メモリ４に登録することが確認されれば、選択中の曲のトラックネーム情報および演奏時間情報を不揮発性メモリ４に登録し（ステップＳ１０）、このトラックネーム入力／登録処理を終了する。なお、演奏時間情報は、予めＵＴＯＣ領域に格納されている各トラックのスタート／エンドアドレスより算出しておく。ネーム情報を不揮発性メモリ４に登録することが確認されなければ、不揮発性メモリ４への登録をしないで、このトラックネーム入力／登録処理を終了する。
【００３０】
ステップＳ１において、既に記録されているトラックネーム情報がないと判定された場合、自動ネーム入力を行うかどうかをユーザに確認させる（ステップＳ２）。自動ネーム入力を行うことが確認されなければ、手動による通常のネーム入力処理（一字一字入力する処理）（ステップＳ８）に遷移し、ネーム入力終了後、ネーム情報を不揮発性メモリ４に登録するかどうかの確認処理（ステップＳ９）に遷移する。
【００３１】
ステップＳ２において、自動ネーム入力を行うことが確認されたと判定された場合、演奏時間の検索処理（ステップＳ３）に遷移する。この演奏時間の検索処理では、現在選択中の曲の演奏時間と不揮発性メモリ４に記憶されている演奏時間とを比較し、両演奏時間が等しい若しくは予め規定された誤差（例えば１０秒）範囲内の演奏時間を要する登録情報が存在するかどうかを検索する。この検索が終了すれば、検索結果の判定処理（ステップＳ４）に遷移する。即ち、誤差範囲内のトラック（誤差範囲内の演奏時間を要する登録情報が記録された光ディスクＤ１上のトラック）が有るかどうかの判定処理に移る。検索の結果、誤差範囲内の演奏時間を要する登録情報が存在しなければ、手動による通常のネーム入力処理（一字一字入力する処理）（ステップＳ８）に遷移する。
【００３２】
誤差範囲内の演奏時間を要する登録情報が存在すれば、その演奏時間と対で不揮発性メモリ４に登録されているネーム情報を表示装置３に出力する。該当する登録情報が複数個存在した場合は、表示装置３に該当するネーム情報の一覧表示を出力する（ステップＳ５）。そして、ユーザは、一覧表示されたネーム情報の中から所望のネーム情報を検索する（ステップＳ６）。ユーザが、所望するネーム情報が一覧表示されたネーム情報の候補の中に存在しないことがユーザ操作により確認されれば、手動による通常のネーム入力処理（一字一字入力する処理）（ステップＳ８）に遷移する。
【００３３】
ユーザは、一覧表示されたネーム情報の中から、所望のネーム情報を入力装置１の操作により選択し、決定したことを確認されれば、選択されたネーム情報をトラックネーム情報としてコピーし（ステップＳ７）、即ち、ネーム情報を光ディスクＤ１のＵＴＯＣ情報に登録し、このトラックネーム入力／登録処理を終了する。
【００３４】
また、光ディスクＤ１内の全ての曲のネーム情報を別の光ディスクＤ２に一括コピーする場合でも、全曲数の比較判定後、曲数が一致していれば、一括ネームコピーを実施し、一致していなければ、本発明の実施形態で示すように１曲毎の自動ネームコピー処理（ステップＳ７）に遷移させることで、ネーム入力を容易にすることが可能になる。
【００３５】
また、不揮発性メモリ４に登録されたネーム情報および演奏時間情報は、ユーザ操作により削除することを可能にしておく。図３は、本実施形態において不揮発性メモリ４に登録されたネーム情報を削除するための処理を示すフローチャートである。このフローチャートを参照して不揮発性メモリ４に登録されたネーム情報を削除する処理について説明する。
【００３６】
ユーザ操作により登録ネーム情報削除機能を指示すると、現在、不揮発性メモリ４に登録されているネーム情報の一覧表示を表示装置３に出力させる（ステップＳ１１）。ユーザ操作により削除するネーム文字列が選択・決定されれば（ステップＳ１２）、その対象の文字列を不揮発性メモリ４から削除し（ステップＳ１３）、この削除処理が終了する。これにより、使用頻度の低い文字列を不揮発性メモリ４から削除でき、有限の記憶領域しか有してない不揮発性メモリ４を有効に利用することが可能になる。
【００３７】
図４は本実施形態において不揮発性メモリ４に記憶されているネーム情報および演奏時間情報の一例を示す図である。図４に示すように、不揮発性メモリ４には登録されたネーム情報と対に演奏時間情報が記憶されている。例えば、ネーム情報“いとしのエリー”とその演奏時間情報「３：１０」が記録されている。
【００３８】
図５は本実施形態において情報記録再生装置に新たに装填された光ディスクのディスク情報の一例を示す図である。図５に示すように、例えば、新たに装填された光ディスクＤ２のトラックＮｏ．３には、ネームが入力されていない。ユーザ操作によりトラックＮｏ．３に対してネーム入力／登録機能を指示した場合について説明すると、この場合、図２におけるステップＳ１のトラック有無の判定で、トラックが無いと判定され、ステップＳ２の自動ネーム入力を行うかどうかの確認処理に遷移する。
【００３９】
ステップＳ２の判定で、自動ネーム入力を行うことが確認されれば、演奏時間検索処理（ステップＳ３）に遷移する。ここでは、演奏時間の誤差範囲を１０秒として説明する。誤差範囲を設ける理由は同じ曲を録音した場合でも、ユーザ操作により録音時間に若干の誤差が生じることを考慮するためである。ステップＳ４における誤差範囲内のトラック有無の判定で、不揮発性メモリ４に記憶されているネーム情報（図４参照）のうち誤差範囲（±１０秒）内のネーム情報である“明日がある”と“いとしのエリー”をコピー対象のネーム情報として表示装置３に出力する（ステップＳ５）。このコピー対象のネーム情報の一覧例を図６に示す。
【００４０】
ステップＳ６における所望のネーム情報有無の判定で、所望のネーム情報を“明日がある”とした場合は、装填された光ディスクＤ２のトラックＮｏ．３のトラックネームとして“明日がある”をコピーし（ステップＳ７）、光ディスクＤ２のＵＴＯＣ情報に記録する。自動トラックネーム入力終了後の光ディスクＤ２上のディスク情報の一例を図８に示す。図８に示すように、トラックＮｏ．３のトラックネームには“明日がある”が記録されたことになる。
【００４１】
ユーザ操作によりトラックＮｏ１のネーム入力／登録機能を指示した場合は、ステップＳ１のトラックネーム有無の判定でトラックネーム有りとなるため、ステップＳ９の不揮発性メモリ４にネーム登録するかどうかの判定処理に遷移する。ステップＳ９の判定でユーザ操作により不揮発性メモリ４に登録するとした場合、トラックＮｏ．１のネーム情報を不揮発性メモリ４に登録する。登録後の不揮発性メモリ４に記憶されているネーム情報および演奏時間情報の一例を図７に示す。図７に示すように、トラックＮｏ．１のネーム情報“春”が新たに追加登録されたことになる（図４と図７を参照）。
【００４２】
以上説明したように、本実施形態によれば、曲毎にネーム単位を形成する最初の文字から逐一入力していくという面倒な操作を回避することが可能となる。また、演奏時間が誤差範囲内であるネーム情報をネームコピー対象の候補として表示させることで、ユーザが所望する文字列を短時間で取得することが可能になる。また、不揮発性メモリにネーム情報を記憶させることで、ユーザが過去に入力したネーム情報をコピーすることが可能になり、文字の入力操作が簡単に短時間で行うことができ、ユーザにとっては使い勝ってが向上する。
【図面の簡単な説明】
【００４３】
【図１】本発明の一実施形態に係る情報記録再生装置の構成を示すブロック図である。
【図２】前記実施形態においてトラックネーム入力／登録の処理を説明するためのフローチャートである。
【図３】前記実施形態において不揮発性メモリに登録されたネーム情報を削除するための処理を示すフローチャートである。
【図４】前記実施形態において不揮発性メモリに記憶されているネーム情報および演奏時間情報の一例を示す図である。
【図５】前記実施形態において情報記録再生装置に新たに装填された光ディスクのディスク情報の一例を示す図である。
【図６】前記実施形態においてコピー対象のネーム情報の一覧例を示す図である。
【図７】前記実施形態において登録後の不揮発性メモリに記憶されているネーム情報および演奏時間情報の一例を示す図である。
【図８】前記実施形態において自動トラックネーム入力終了後の光ディスク上のディスク情報の一例を示す図である。
【図９】従来の情報記録再生装置において登録文字列を検索する場合を説明するための図である。
【図１０】従来の情報記録再生装置においてネーム情報一括コピー処理を説明するためのフローチャートである。
【符号の説明】
【００４４】
Ｄ１    光ディスク（第１の記録媒体）
Ｄ２    光ディスク（第２の記録媒体）
２    システムコントローラ
３    表示装置（表示手段）
４    不揮発性メモリ（第２のメモリ）
５    一時メモリ（第１のメモリ）
２１    曲数格納処理手段（メイン情報数格納手段）
２２    ネーム情報記憶処理手段（テキスト情報記憶処理手段）
２３    ネーム情報書込み手段（テキスト情報書込み手段）
２４    比較手段
２５    禁止手段
２６    判定手段
２７    禁止解除手段
【図１】
2005228389.tif 000003
【図２】
2005228389.tif 000004
【図３】
2005228389.tif 000005
【図４】
2005228389.tif 000006
【図５】
2005228389.tif 000007
【図６】
2005228389.tif 000008
【図７】
2005228389.tif 000009
【図８】
2005228389.tif 000010
【図９】
2005228389.tif 000011
【図１０】
2005228389.tif 000012